(57)【特許請求の範囲】
【請求項１】
複数の処理装置Ｍ1 〜Ｍn 及び各々処理装置の各処理ステージＰ1 〜Ｐn と接続し、且つ当該処理装置群を制御するラインコントローラ１（ライン制御部）を含むインライン製造・加工処理装置のワーク制御データ監視システムであって、
前記ラインコントローラ１は、リンクエリアデータ記憶部３ａと、バックアップデータ記憶部３ｂと、センドデータ記憶部３ｃと、レシーブデータ記憶部３ｄとから構成される記憶手段３と、データをバックアップするバックアップ手段４ａと、データシフト手段４ｂと、データ照合手段４ｃと、データ修正手段４ｄとから構成されるデータ処理手段４とを備え、
前記各処理装置Ｍ1 〜Ｍn は、ラインコントローラ１により制御される制御部１０と、該制御部１０には処理ステージＰ1 〜Ｐn と前記処理ステージ内のワークＷを搬送する搬送部１１と、データ処理部１２と、前記各処理ステージにおける製造・処理・加工操作を制御する処理制御部１３と、前記ラインコントローラ１からのアクセスを許容し、且つ当該処理装置群の各処理ステージにおける各ワークＷの識別データを保持し得る記憶部１４と、前記各処理装置Ｍ1 〜Ｍn のうち最先の処理装置Ｍ1 の最初の処理ステージは、順次搬送されるワークＷをワーク識別データとして検出するワーク検出手段Ｒを備え、
ａ）ワークＷを前記搬送部１１にて処理装置Ｍ1 〜Ｍn 内に搬入する段階と、
ｂ）最先の処理装置Ｍ1 の最初の処理ステージに順次搬送される各々ワークＷを、前記ワーク検出手段Ｒにて検出する段階と、
ｃ）前記ワーク検出手段Ｒにて検出した各々ワークＷ毎のワーク識別データＣｄを、リンクエリアデータとして、ラインコントローラ１のリンクエリアデータ記憶部３ａに、ワークＷの搬送される各処理装置Ｍ1 〜Ｍn の各処理ステージ毎に対応させて記憶する段階と、
ｄ）前記ワークＷの識別データＣｄを、ラインコントローラ１のバックアップ手段４ａにてバックアップしてバックアップデータを生成し、バックアップデータ記憶部３ｂに、各処理装置Ｍ1 〜Ｍn の各処理ステージ毎に対応させて記憶する段階と、
ｅ）ワーク搬送移動により、前記処理装置Ｍ1 〜Ｍn のうち上流の当該処理装置Ｍk から下流の当該処理装置Ｍk+1 （又は上流の当該処理ステージＰk から下流の当該処理ステージＰk+1 ）へ移動する前記ワークＷの識別データＣｄを、センドデータとしてラインコントローラ１のデータシフト手段４ｂにてシフト移動させて、センドデータ記憶部３ｃに前記下流の処理装置Ｍk+1 （又は下流の処理ステージＰk+1 ）毎に対応させて記憶する段階と、
ｆ）各処理装置Ｍ1 〜Ｍn の各処理ステージ毎に対応して前記バックアップデータ記憶部３ｂに記憶されたバックアップデータと前記センドデータ記憶部３ｃに記憶されたセンドデータとを、ラインコントローラ１のデータ照合手段４ｃにより照合し、前記センドデータのバックアップデータに対する整合性を判定する段階と、
ｇ）前記センドデータが整合の場合、前記センドデータをレシーブデータ（識別データＣｄ）としてラインコントローラ１のデータシフト手段４ｂにてシフト移動させて、レシーブデータ記憶部３ｄに記憶保持する段階と、
ｈ）前記センドデータが不整合の場合、ラインコントローラ１のデータ修正手段４ｄにて、整合性のあるセンドデータ（識別データＣｄ）に修正する段階と、
ｉ）修正したセンドデータを、レシーブデータ（識別データＣｄ）としてラインコントローラ１のデータシフト手段４ｂにてシフト移動させて、レシーブデータ記憶部３ｄに記憶保持する段階と、
ｊ）レシーブデータ記憶部３ｄに記憶保持した前記レシーブデータを、下流の処理装置Ｍk+1 （又は下流の処理ステージＰk+1 ）へ移動する前記ワークＷの識別データＣｄとしてリンクエリアデータに組み込み、リンクエリアデータ記憶部３ａに記憶させる段階と、
を含むことを特徴とするインライン製造・加工処理装置のワーク制御データ監視システム。
【請求項２】
請求項１記載のインライン製造・加工処理装置のワーク制御データ監視システムにおいて、
前記ラインコントローラは、前記搬送部１１によって前記ワークＷが次の処理ステージ（ＰK からＰK+1 ）に搬送されるまでに、前記リンクエリアデータを更新し、且つ前記次の処理ステージに搬送前のバックアップデータと、更新された前記リンクエリアデータに組み込まれている各処理ステージにおけるワーク識別データＣｄとを照合して、整合性を確認し、整合の場合は、前記ワーク識別データＣｄをレシーブデータとしてレシーブデータ記憶部３ｄに記憶保持し、一方、不整合の場合は、不整合の発生した処理ステージＰK における次の処理ステージに搬送前のワーク識別データＣｄであるセンドデータを、前記センドデータ記憶部３ｃから取得して、該センドデータを次の処理ステージに搬送後の整合性のあるバックアップデータとして設定し、該センドデータを次の処理ステージに搬送後の整合性のあるワーク識別データＣｄであるレシーブデータとしてレシーブデータ記憶部３ｄに記憶保持することにより、前記搬送部１１によって前記ワークＷが、次の処理ステージＰK+1 に搬送されるまでに整合性のあるリンクエリアデータとして修正することを特徴とするインライン製造・加工処理装置のワーク制御データ監視システム。
【発明の詳細な説明】
【技術分野】
【０００１】
本発明は、１つのライン上に複数基の装置を連続配置したインライン製造・加工処理装置の処理制御に使用される制御データの監視システムに関し、特に装置内を順次搬送されて処理される原材料のリアルタイムでの搬送位置の確認や、その搬送位置における搬送ワークに適正に対応する製造・加工処理のために使用される搬送ワーク固有の制御データのエラーや欠陥や異常等の発生を監視するためのインライン製造・加工処理装置のワーク制御データ監視システムに関する。
【背景技術】
【０００２】
一般的に、１つのライン上に複数基の装置を連続配置したインライン製造・加工処理装置においては、電子制御にて動作する装置内をワーク（原材料）が順次搬送されて製造・加工処理される。例えば、ガラス基板や金属基板のようなワーク（原材料）の装置内における搬送位置を、常にリアルタイムで検出し確認しながら、その搬送位置に対応する適正な製造・加工処理を指示するためのワークトラッキング（ワーク確認処理）用の制御データが使用されている。
【０００３】
このようなインライン製造・加工処理装置（以下インライン装置という）におけるワークトラッキング用の制御データは、インライン装置全体の動作を制御するための共有制御データや、インライン内の個々の装置が受け持つ動作を制御するラインエリア制御データ等を備えている。
【０００４】
これら共有データやラインエリアデータ等からなるワークトラッキング用の制御データは、ワークのインライン装置への投入時に、インライン製造・加工処理装置の全体装置又は個々の装置を制御するラインコントローラ（ＣＰＵ）に搭載する制御プログラムに基づいて作成され、ラインコントローラに搭載するリンクエリアデータ記憶部（メモリ）に記憶される。そしてワークが装置内を順次搬送移動する毎に、ワーク搬送路（コンベア等）の所定位置に設置した非接触（又は接触）式のワーク検出（通過検知）手段によって検知されると共に、そのワークトラッキング用の制御データも、装置の制御部によってメモリエリア（メモリ番地）内を順次シフト移動し、適正に書き換えられて行く。
【０００５】
しかしながら、何らかの原因で、装置内のワーク検出手段の光学的、機械的な検出系統や装置本体に故障やトラブル等が発生した場合には、ワークの通過検知に、非検知や異常が生じて、ワークの搬送移動に伴い、順次データがシフト移動して適正に書換えられて行くべきメモリ内のワークトラッキング用の制御データに、エラーや欠陥や異常等が発生する場合がある。このように、メモリ内にワークトラッキング用の制御データのエラーや欠陥や異常等が発生した場合には、インライン装置を一旦停止させて、オペレータによるトラッキング用制御データの修正が実施される。
【０００６】
このようなトラッキング用制御データの修正方法としては、例えば、引用文献１のような修正方法があるが、通常は、データ修正の時に、オペレータが、一旦、インライン装置のラインコントローラに搭載するメモリ（データベース）からトラッキング用制御データを読み出して、適正なデータを手作業にて入力し、書換えして、修正していた。そのために、インライン装置の停止時間や入力修正による労損が発生していた。
【０００７】
以下に、本願に関連する先行技術文献を記載する。
【特許文献１】特開２００３−６７０３１号公報
【特許文献２】特開２００１−７５９３２号公報
【発明の開示】
【発明が解決しようとする課題】
【０００８】
本発明の課題は、１つのライン上に複数基の装置を連続配置したインライン製造・加工処理装置において、装置内にて順次搬送されて製造・加工処理されるワークの装置内における搬送位置を常にリアルタイムで検出しながら、その搬送位置に対応する適正な製造・加工処理を指示するためのリンクエリアデータを記憶するリンクエリアデータ記憶部に記憶されたワークトラッキング用の制御データに発生するエラーや欠陥や異常等の発生を、自動的に、そのワークトラッキング用の制御データと標準値とを照合して、整合性をチェツクして修正できるようにして、制御データのチェツク修正のためのインライン装置の停止や、オペレータによるデータの入力修正による労損の発生を防ぐことにある。
【課題を解決するための手段】
【０００９】
本発明の請求項１に係る発明は、
複数の処理装置Ｍ1 〜Ｍn 及び各々処理装置の各処理ステージＰ1 〜Ｐn と接続し、且つ当該処理装置群を制御するラインコントローラ１（ライン制御部）を含むインライン製造・加工処理装置のワーク制御データ監視システムであって、
前記ラインコントローラ１は、リンクエリアデータ記憶部３ａと、バックアップデータ記憶部３ｂと、センドデータ記憶部３ｃと、レシーブデータ記憶部３ｄとから構成される記憶手段３と、データをバックアップするバックアップ手段４ａと、データシフト手段４ｂと、データ照合手段４ｃと、データ修正手段４ｄとから構成されるデータ処理手段４とを備え、
前記各処理装置Ｍ1 〜Ｍn は、ラインコントローラ１により制御される制御部１０と、該制御部１０には処理ステージＰ1 〜Ｐn と前記処理ステージ内のワークＷを搬送する搬送部１１と、データ処理部１２と、前記各処理ステージにおける製造・処理・加工操作を制御する処理制御部１３と、前記ラインコントローラ１からのアクセスを許容し、且つ当該処理装置群の各処理ステージにおける各ワークＷの識別データを保持し得る記憶部１４と、前記各処理装置Ｍ1 〜Ｍn のうち最先の処理装置Ｍ1 の最初の処理ステージは、順次搬送されるワークＷをワーク識別データとして検出するワーク検出手段Ｒを備え、
ａ）ワークＷを前記搬送部１１にて処理装置Ｍ1 〜Ｍn 内に搬入する段階と、
ｂ）最先の処理装置Ｍ1 の最初の処理ステージに順次搬送される各々ワークＷを、前記ワーク検出手段Ｒにて検出する段階と、
ｃ）前記ワーク検出手段Ｒにて検出した各々ワークＷ毎のワーク識別データＣｄを、リンクエリアデータとして、ラインコントローラ１のリンクエリアデータ記憶部３ａに、ワークＷの搬送される各処理装置Ｍ1 〜Ｍn の各処理ステージ毎に対応させて記憶する段階と、
ｄ）前記ワークＷの識別データＣｄを、ラインコントローラ１のバックアップ手段４ａにてバックアップしてバックアップデータを生成し、バックアップデータ記憶部３ｂに、各処理装置Ｍ1 〜Ｍn の各処理ステージ毎に対応させて記憶する段階と、
ｅ）ワーク搬送移動により、前記処理装置Ｍ1 〜Ｍn のうち上流の当該処理装置Ｍk から下流の当該処理装置Ｍk+1 （又は上流の当該処理ステージＰk から下流の当該処理ステージＰk+1 ）へ移動する前記ワークＷの識別データＣｄを、センドデータとしてラインコントローラ１のデータシフト手段４ｂにてシフト移動させて、センドデータ記憶部３ｃに前記下流の処理装置Ｍk+1 （又は下流の処理ステージＰk+1 ）毎に対応させて記憶する段階と、
ｆ）各処理装置Ｍ1 〜Ｍn の各処理ステージ毎に対応して前記バックアップデータ記憶部３ｂに記憶されたバックアップデータと前記センドデータ記憶部３ｃに記憶されたセンドデータとを、ラインコントローラ１のデータ照合手段４ｃにより照合し、前記センドデータのバックアップデータに対する整合性を判定する段階と、
ｇ）前記センドデータが整合の場合、前記センドデータをレシーブデータ（識別データＣｄ）としてラインコントローラ１のデータシフト手段４ｂにてシフト移動させて、レシーブデータ記憶部３ｄに記憶保持する段階と、
ｈ）前記センドデータが不整合の場合、ラインコントローラ１のデータ修正手段４ｄにて、整合性のあるセンドデータ（識別データＣｄ）に修正する段階と、
ｉ）修正したセンドデータを、レシーブデータ（識別データＣｄ）としてラインコントローラ１のデータシフト手段４ｂにてシフト移動させて、レシーブデータ記憶部３ｄに記憶保持する段階と、
ｊ）レシーブデータ記憶部３ｄに記憶保持した前記レシーブデータを、下流の処理装置Ｍk+1 （又は下流の処理ステージＰk+1 ）へ移動する前記ワークＷの識別データＣｄとしてリンクエリアデータに組み込み、リンクエリアデータ記憶部３ａに記憶させる段階と、
を含むことを特徴とするインライン製造・加工処理装置のワーク制御データ監視システムである。
【００１０】
本発明の請求項２に係る発明は、請求項１記載のインライン製造・加工処理装置のワーク制御データ監視システムにおいて、
前記ラインコントローラは、前記搬送部１１によって前記ワークＷが次の処理ステージ（ＰK からＰK+1 ）に搬送されるまでに、前記リンクエリアデータを更新し、且つ前記次の処理ステージに搬送前のバックアップデータと、更新された前記リンクエリアデータに組み込まれている各処理ステージにおけるワーク識別データＣｄとを照合して、整合性を確認し、整合の場合は、前記ワーク識別データＣｄをレシーブデータとしてレシーブデータ記憶部３ｄに記憶保持し、一方、不整合の場合は、不整合の発生した処理ステージＰK における次の処理ステージに搬送前のワーク識別データＣｄであるセンドデータを、前記センドデータ記憶部３ｃから取得して、該センドデータを次の処理ステージに搬送後の整合性のあるバックアップデータとして設定し、該センドデータを次の処理ステージに搬送後の整合性のあるワーク識別データＣｄであるレシーブデータとしてレシーブデータ記憶部３ｄに記憶保持することにより、前記搬送部１１によって前記ワークＷが、次の処理ステージＰK+1 に搬送されるまでに整合性のあるリンクエリアデータとして修正することを特徴とするインライン製造・加工処理装置のワーク制御データ監視システムである。
【発明の効果】
【００１１】
本発明のインライン製造・加工処理装置のワーク制御データ監視システムによれば、１つのライン上に複数基の装置を連続配置したインライン製造・加工処理装置において、装置内にて順次搬送されて製造・加工処理されるワークの装置内における搬送位置を、常にリアルタイムで検出しながら、その搬送位置に対応する適正な製造・加工処理を指示するためのリンクエリアデータを記憶するリンクエリアデータ記憶部を備え、リンクエリアデータ記憶部に記憶されたワークトラッキング用の制御データに発生するエラーや欠陥や異常等の発生を、自動的に、そのワークトラッキング用の制御データと標準値とを照合して整合性をチェツクして修正できる機能を備えている。
【００１２】
そのためにラインコントローラ等の記憶手段（メモリ）内に記憶されるワークトラッキング用の制御データに発生するエラーや欠陥や異常等の発生を、自動的に照合、修正し、監視できるため、制御データのチェツク修正のためのインライン装置の停止や、オペレータによるデータの入力修正による労損の発生を未然に防ぎ、効率的に電子制御用データを監視することができる効果がある。
【発明を実施するための最良の形態】
【００１３】
本発明のインライン製造・加工処理装置のワーク制御データ監視システムを、発明の実施の形態に基づいて以下に詳細に説明する。
【００１４】
まず、本発明におけるインライン製造・加工処理装置、及びワーク制御データ監視装置について説明すれば、図１に示すように、本発明のインライン製造・加工処理装置には、連続配置したワーク処理用の複数基の処理装置Ｍ1 〜Ｍn と、該各処理装置Ｍ1 〜Ｍn を
同期的に連動させて集中制御動作するラインコントローラ１と、該ラインコントローラ１に搭載する記憶手段３と、データ処理部４とを備える。
【００１５】
前記記憶手段３は、リンクエリアデータ記憶部３ａ（メモリエリア部）と、バックアップデータ記憶部３ｂ（メモリエリア部）と、センドデータ記憶部３ｃ（メモリエリア部）と、レシーブデータ記憶部３ｄ（メモリエリア部）とから構成され、データ処理手段４はデータバックアップ手段４ａと、データシフト手段４ｂ（例えばシフトレジスタ）と、データ照合手段４ｃと、データ修正手段４ｄとから構成される。
【００１６】
図２は、前記各々処理装置Ｍ1 〜Ｍn におけるワークＷの搬送形態の一例を示す平面図であり、前記各々処理装置Ｍ1 〜Ｍn 間、及び該処理装置Ｍ1 〜Ｍn 内の各ワーク処理ステージＰ1 〜Ｐ5 〜Ｐn 間には、処理用ワークＷ（Ｗ1 、Ｗ2 、Ｗ3 、・・・）を搬送する１乃至複数基のワーク搬送部１１（搬送手段）が配置される。なお、前記搬送部１１によるワークの搬送形態としては、本発明においては特に限定されるものではなく、連続的搬送動作でもよいし、間欠的搬送動作のいずれでもよく、また、搬送部１１によるワーク搬送路の形状は、無端系の循環搬送路、あるいは有端直線系や屈曲系の搬送路であってもよい。
【００１７】
該各処理装置Ｍ1 〜Ｍn のうち、最初の処理装置Ｍ1 の最初のワーク処理ステージＰ1 には、ワーク搬送手段１１により順次搬送される各処理用ワークＷ本体又は該処理用ワークＷ本体に表示されているワーク識別データＣｄ［ワーク固有の識別情報（Ｃｄ1 、Ｃｄ2 、Ｃｄ3 、・・・、形状、サイズ、識別マーク、一次元コート、二次元コード等）］を検出するワーク検出手段Ｒが配置されている。
【００１８】
前記各処理装置Ｍ1 〜Ｍn は、図３に示すように、各処理装置の動作を制御する制御部１０を備え、該制御部１０には、処理ステージＰ1 〜Ｐn と前記処理ステージ内のワークＷを搬送する搬送部１１と、データ処理部１２及びデータシフト手段１２ａ（例えばシフトレジスタ）と、前記各処理ステージにおける製造・処理・加工操作を制御する処理制御部１３と、前記ラインコントローラ１からのアクセスを許容し、且つ当該処理装置群の各処理ステージにおける各ワークＷの識別データを保持し得る記憶部１４とを備える。
【００１９】
また、図１、図２に示すように、各々処理装置Ｍ1 〜Ｍn には、各々装置の各ワーク処理ステージＰ1 〜Ｐ5 〜Ｐn を送行してワーク搬送手段１１と連動するタイミングセンサーＴ（ロータリエンコーダ、カムスイッチなど）を備え、インライン製造・加工処理装置の稼動中は、各処理装置の同期的な回転位相サイクルやワーク搬送手段１１による処理用ワークＷの搬送移動位置を常に検知できるようになっている。
【００２０】
図３に示すように、前記各々処理装置Ｍ1 〜Ｍn には、個々に搭載する装置制御部１０と、該各々処理装置Ｍ1 〜Ｍn の制御部１０に搭載するワーク搬送部１１（搬送手段、コンベアなど）と、該搬送部１１と連動して装置の動作サイクルやタイミングを検知するタイミングセンサーＴと、データシフト手段１２ａを備えたデータ処理部１２と、ワーク処理操作制御部１３（各処理ステージＰ1 〜Ｐn におけるコーティング、ヒーティング、プレス、カッティング、折り、露光・照射等の加工処理手段の制御）と、記憶部１４とを備えている。
【００２１】
本発明のインライン製造・加工処理装置のワーク制御データ監視システムにおける動作を、発明の実施の形態に基づいて以下に詳細に説明すれば、まず、処理装置Ｍ1 〜Ｍn 内に、処理・加工すべき所定枚数の処理用ワークＷを、１枚ずつ、前記搬送部１１（搬送手段）にて処理装置Ｍ1 からＭn の方向に搬送しながら、最先の処理装置Ｍ1 の最初の処理ステージＰ1 に順次搬入される前記各々ワークＷを、最先の処理装置Ｍ1 の最初の処理ス
テージＰ1 に配置されたワーク検出手段Ｒにて検出する。
【００２２】
次に、前記ワーク検出手段Ｒにて検出した各々ワークＷ毎のワーク識別データＣｄをリンクエリアデータとして、ラインコントローラ１のリンクエリアデータ記憶部３ａに、ワークＷの搬送される前記各処理装置Ｍ1 〜Ｍn の各処理ステージ毎に対応させて順次記憶させていく。なお、この際に、前記リンクエリアデータは、各処理装置Ｍ1 〜Ｍn に搭載する各記憶部１４にも、各処理装置Ｍ1 〜Ｍn の各処理ステージ毎に対応させて、順次記憶させるようにしてもよい。
【００２３】
次に、前記リンクエリアデータ記憶部３ａに順次記憶されるワークＷの識別データＣｄを、ラインコントローラ１のバックアップ手段４ａにてバックアップして、バックアップデータを生成し、バックアップデータ記憶部３ｂに、各処理装置Ｍ1 〜Ｍn の各処理ステージ毎に対応させて記憶させる。なお、この際にも、前記バックアップデータは、各処理装置Ｍ1 〜Ｍn に搭載する各記憶部１４にも、各処理装置Ｍ1 〜Ｍn の各処理ステージ毎に対応させて、順次記憶させるようにしてもよい。
【００２４】
このようにして、各々ワークＷは処理装置Ｍ1 からＭn の方向に順次搬送移動し、このワーク搬送移動により、前記処理装置Ｍ1 〜Ｍn のうち上流の当該処理装置Ｍk から下流の当該処理装置Ｍk+1 へ、又は上流の当該処理ステージＰk から下流の当該処理ステージＰk+1 へ移動する前記ワークＷの識別データＣｄを、センドデータとして、ラインコントローラ１のデータシフト手段４ｂにてシフト移動させて、センドデータ記憶部３ｃに前記下流の処理装置Ｍk+1 （又は下流の処理ステージＰk+1 ）毎に対応させて記憶させる。
【００２５】
各処理装置Ｍ1 〜Ｍn の各処理ステージ毎に対応して前記バックアップデータ記憶部３ｂに記憶されたバックアップデータと、前記センドデータ記憶部３ｃに記憶されたセンドデータとが、ラインコントローラ１のデータ照合手段４ｃに読み出されて両者は照合される。そして前記センドデータのバックアップデータに対する整合性が判定される。
【００２６】
そのデータ照合手段４ｃによる照合、判定の結果、前記センドデータがバックアップデータに対して不整合の場合には、ラインコントローラ１のデータ修正手段４ｄにて、整合性のあるセンドデータ（識別データＣｄ）に修正される。例えば、前記センドデータを前記バックアップデータと一致させて整合させる。
【００２７】
前記データ修正手段４ｄにて修正されて、整合性の付与（前記バックアップデータに一致）された前記センドデータは、レシーブデータ（識別データＣｄ）として、ラインコントローラ１のデータシフト手段４ｂにてシフト移動させて、レシーブデータ記憶部３ｄに記憶保持される。
【００２８】
一方、前記センドデータがバックアップデータに対して整合している場合には、無修正にて、整合性のある（前記バックアップデータに一致する）センドデータとして、ラインコントローラ１のデータシフト手段４ｂにてシフト移動させて、レシーブデータ記憶部３ｄに記憶保持される。
【００２９】
そして、レシーブデータ記憶部３ｄに記憶保された修正及び無修正のそれぞれ前記レシーブデータは、下流の処理装置Ｍk+1 （又は下流の処理ステージＰk+1 ）へ移動する前記ワークＷの識別データＣｄとして、リンクエリアデータに組み込まれ、リンクエリアデータ記憶部３ａに記憶されて、インライン製造・加工処理装置のインラインワーク制御用のリンクエリアデータとして使用される。
【００３０】
なお、本発明システムにおいては、図１に示す前記ラインコントローラ１に搭載する記
憶手段３には、必要に応じて、図２に示す各々処理装置Ｍ1 〜Ｍn の各処理ステージＰ1 〜Ｐn に搬入される各々ワークＷ（その識別データＣｄ）に対応して、各々処理装置Ｍ1 〜Ｍn のワーク処理操作制御部１３を制御動作させるためのワーク固有の加工・処理操作プログラムなどラインエリアデータＬｄ(1〜n)が、処理制御データとして予め入力設定されている。
【００３１】
また、各々処理装置Ｍ1 〜Ｍn の個々のデータ処理部１２には、必要に応じて、データシフト手段１２ａが搭載されている。そして、各々処理装置Ｍ1 〜Ｍn のワーク処理操作制御部１３を制御動作させるためのワーク固有の加工・処理操作プログラムなど、ラインエリアデータＬｄ(1〜n)を、図１に示す前記ラインコントローラ１に搭載する記憶手段３から、各々処理装置Ｍ1 〜Ｍn にデータシフト手段１２ａ（又はラインコントローラ１のデータシフト手段４ｂ）にて読み出し、又は読み出しシフト移動させて、各処理装置Ｍ1 〜Ｍn に対応する各記憶部１４（ラインエリアデータメモリ）に一旦記憶させることができるようになっている。そして、各処理ステージＰ1 〜Ｐn 毎又は各々ワークＷ毎に対応する加工・処理操作プログラム（制御データ）に基づいて各々ワークＷに対する加工処理ができるようになっている。
【００３２】
前記ラインコントローラ１のデータ処理手段４にあるデータバックアップ手段４ａは、図２に示す前記各々処理装置Ｍ1 〜Ｍn の各処理ステージＰK にて処理後における処理用ワークＷの次の搬送移動動作前に、前記処理ステージＰK に対応して各記憶部１４（ラインエリアデータメモリ）に記憶させたワーク固有のラインエリアデータＬｄk （ワーク識別データ、ワーク固有識別情報Ｃｄ（Ｃｄ1 、Ｃｄ2 、Ｃｄ3 、・・・）を含む）を、次の処理ステージＰK+1 に対応するバックアップデータメモリ１７に一旦バックアップ（コピー）して、バックアップデータＬｄk としてラインコントローラ１のバックアップデータ記憶部３ｂに記憶させるものである。
【００３３】
前記ラインコントローラ１のデータ処理手段４にあるデータ照合手段４ｃは、前記データシフト手段４ｂにてシフトされて、前記処理ステージＰk+1 に対応する記憶部１４（ラインエリアデータメモリ）に一旦記憶されているラインエリアデータＬｄk+1 と、該処理ステージＰk+1 に対応する記憶部１４に一旦記憶されているバックアップデータＬｄk との整合性（又はデータの一致・不一致）を照合確認する。そして照合の結果、整合性あり（又は一致）と確認された場合は、前記処理ステージＰk+1 に対応する記憶部１４に一旦記憶されているラインエリアデータＬｄk+1 を整合性のある真正な制御データと判定し、次の処理ステージＰk+2 以降にワークＷを搬送移動させてインライン処理加工・搬送を継続する。
【００３４】
一方、不整合（又は不一致）の場合は、前記ラインエリアデータＬｄk+1 をエラーの制御データとして判定し、記憶部１４（ラインエリアデータメモリ）に一旦記憶されている前記バックアップデータＬｄk を、修正用のワーク固有のラインエリアデータＬｄk として前記データシフト手段４ｂ（又はデータシフト手段１２ａ）により自動シフトさせて、前記処理ステージＰk+1 に対応する記憶部１４に一旦記憶させて、ラインコントローラ１のデータ修正手段４ｄによりエラー（不整合）の制御データを真正（整合）の制御データに修正する。そしてエラーの制御データを修正した後は、インライン処理加工・搬送を継続する。
【００３５】
次に、インライン製造・加工処理装置に連続配置したワーク処理用の複数基の処理装置Ｍ1 〜Ｍn をラインコントローラ１により電子集中制御にて連動動作させるためのワーク処理制御用のインラインワーク制御データを監視する本発明のインラインワーク制御データシステムを、図４〜図６に示すフローチャート図に基づいて以下に詳細に説明する。
【００３６】
＜ステップＳ１＞
まず、ワークＷを、搬送部１１にて処理装置Ｍ1 〜Ｍn 内に、順次搬入する。
【００３７】
＜ステップＳ２＞
最先の処理装置Ｍ1 の最初の処理ステージに順次搬送される各々ワークＷを、ワーク検出手段Ｒにて検出する。
【００３８】
＜ステップＳ３＞
前記ワーク検出手段Ｒにて検出した各々ワークＷ毎のワーク識別データＣｄを、リンクエリアデータとして、ラインコントローラ１のリンクエリアデータ記憶部３ａに、ワークＷの搬送される各処理装置Ｍ1 〜Ｍn の各処理ステージ毎に対応させて、当該リンクエリアデータを記憶させる。
【００３９】
＜ステップＳ４＞
前記ワークＷの識別データＣｄを、ラインコントローラ１のバックアップ手段４ａにてバックアップして、バックアップデータを生成し、バックアップデータ記憶部３ｂに、各処理装置Ｍ1 〜Ｍn の各処理ステージ毎に対応させて、当該バックアップデータを記憶させる。
【００４０】
＜ステップＳ５＞
前記ワークＷの搬送移動により、前記処理装置Ｍ1 〜Ｍn のうち上流の当該処理装置Ｍk から下流の当該処理装置Ｍk+1 （又は上流の当該処理ステージＰk から下流の当該処理ステージＰk+1 ）へ移動する、前記ワークＷの識別データＣｄを、センドデータとしてラインコントローラ１のデータシフト手段４ｂにてシフト移動させて、センドデータ記憶部３ｃに、前記下流の処理装置Ｍk+1 （又は下流の処理ステージＰk+1 ）毎に対応させて記憶させる。
【００４１】
＜ステップＳ６＞
各処理装置Ｍ1 〜Ｍn の各処理ステージ毎に対応して、前記バックアップデータ記憶部３ｂに記憶されたバックアップデータと、前記センドデータ記憶部３ｃに記憶されたセンドデータとを、ラインコントローラ１のデータ照合手段４ｃに読み出す。
【００４２】
＜ステップＳ７＞
データ照合手段４ｃにより、バックアップデータとセンドデータとを照合し、前記センドデータのバックアップデータに対する整合性を判定する。
【００４３】
＜ステップＳ８＞
照合、判定の結果、前記センドデータが、バックアップデータに対して不整合の場合には、ステップＳ８ａに進み、ラインコントローラ１のデータ修正手段４ｄにて、整合性のあるセンドデータ（識別データＣｄ）に修正する。整合性ある場合は、ステップＳ８ｂに進む。
【００４４】
＜ステップＳ８ａ＞
不整合の場合は、ラインコントローラ１のデータ修正手段４ｄにて、整合性のあるセンドデータ（識別データＣｄ）に修正する。
【００４５】
＜ステップＳ８ｂ＞
整合性のある場合は、無修正にて、整合性のある（前記バックアップデータに一致する）センドデータとして、ラインコントローラ１のデータシフト手段４ｂにてシフト移動させて、レシーブデータ記憶部３ｄに記憶保持する。
【００４６】
＜ステップＳ９＞
修正したセンドデータを、レシーブデータ（識別データＣｄ）としてラインコントローラ１のデータシフト手段４ｂにてシフト移動させて、レシーブデータ記憶部３ｄに記憶保持する。
【００４７】
＜ステップＳ１０＞
レシーブデータ記憶部３ｄに記憶保持された修正及び無修正のそれぞれ前記レシーブデータは、下流の処理装置Ｍk+1 （又は下流の処理ステージＰk+1 ）へ移動する前記ワークＷの識別データＣｄとして、リンクエリアデータに組み込み、リンクエリアデータ記憶部３ａに記憶する。
【００４８】
＜ステップＳ１１＞
続いて、処理用ワークＷを、該処理装置Ｍ1 〜Ｍn の各々ワーク処理ステージＰ1 〜Ｐn に順次搬送する。
【００４９】
＜ステップＳ１２＞
処理用ワークＷ本体を、タイミングセンサーＴにて検出してワークＷに対する処理開始信号を各処理装置Ｍ1 〜Ｍn の処理制御部１３に発信する。
【００５０】
＜ステップＳ１３＞
各処理装置Ｍ1 〜Ｍn の処理制御部１３は、処理開始信号により、リンクエリアデータＬに基づいて処理装置Ｍ1 〜Ｍn の各々ワーク処理ステージＰ1 〜Ｐn に搬入された各ワークＷに対して、インライン製造・加工処理装置内にて加工・処理する。
【００５１】
＜ステップＳ１４＞
各処理装置Ｍ1 〜Ｍn の各々ワーク処理ステージＰ1 〜Ｐn における各処理制御部１３に１サイクルの加工・処理終了信号を発信する。
【００５２】
＜ステップＳ１５＞
加工・処理終了信号を受信した各処理制御部１３は、リンクエリアデータＬに基づいて次のサイクルのワークＷの搬送、検出、照合、修正、加工・処理を継続し、インライン製造・加工処理装置は、処理用ワークＷの加工・処理を終了する。
【００５３】
このようにして、インライン製造・加工処理装置による処理用ワークＷの加工処理を終了したところで、本発明システムの動作を終了する。
【図面の簡単な説明】
【００５４】
【図１】本発明システムにおけるインライン製造・加工処理装置のシステム動作ブロック図。
【図２】本発明システムにおけるインライン製造・加工処理装置の処理用ワークの搬送形態を説明する概要図。
【図３】本発明システムのインライン製造・加工処理装置における各々処理装置の制御部のシステム動作ブロック図。
【図４】本発明システムのシステムフローチャート図。
【図５】本発明システムのシステムフローチャート図。
【図６】本発明システムのシステムフローチャート図。
【符号の説明】
【００５５】
Ｍ1 〜Ｍn …製造・処理・加工装置
Ｐ1 〜Ｐn …処理ステージ
１…ラインコントローラ
２…ラインエリアデータ作成手段
３…記憶手段
３ａ…リンクエリアデータ記憶部
３ｂ…バックアップデータ記憶部
３ｃ…センドデータ記憶部
３ｄ…レシーブデータ記憶部
４…データ処理部
４ａ…バックアップ手段
４ｂ…データシフト手段
４ｃ…データ照合手段
４ｄ…データ修正手段
１０…制御部
１１…ワーク搬送手段（搬送部）
１２…データ処理部
１２ａ…データシフト手段
１３…処理操作制御部
１４…記憶部
【図１】
0005217614.tif 000002
【図２】
0005217614.tif 000003
【図３】
0005217614.tif 000004
【図４】
0005217614.tif 000005
【図５】
0005217614.tif 000006
【図６】
0005217614.tif 000007